(57)【要約】【課題】簡単な構成により、針金や紐等の不正解錠用の道具によっても、サムターン装置のサムターン軸が解錠方向に回動できないようにして、不正解錠されない防犯効果に強い扉錠を提供すること。【解決手段】外筒１１と該外筒１１のサムターン軸嵌挿孔１２に嵌挿されたサムターン軸１４とを備えたサムターン装置１０と、サムターン装置１０の操作により作動される錠杆３とを少なくとも備えた扉錠において、前記サムターン装置１０の外筒１１とサムターン軸１４の一方又は両方には、　サムターン軸　１４が傾動しない状態時にはサムターン軸１４は解錠方向に回動可能であり、サムターン軸１４が傾動した状態時には、サムターン軸１４の解錠方向への回動を阻止する回動阻止装置２０を設けている。【選択図】　　　　図１
2004143916.tif 000002
【特許請求の範囲】
【請求項１】
外筒と該外筒のサムターン軸嵌挿孔に嵌挿されたサムターン軸とを備えたサムターン装置と、前記サムターン装置の操作により作動される錠杆とを少なくとも　備えた扉錠において、
前記サムターン装置の外筒とサムターン軸の一方又は両方には、　サムターン軸　が傾動しない状態時にはサムターン軸は解錠方向に回動可能であり、サムターン軸が傾動した状態時には、サムターン軸の解錠方向への回動を阻止する回動阻止装置　を設けたことを特徴とする扉錠。
【請求項２】
前記サムターン装置の外筒とサムターン軸の一方又は両方には、サムターン軸が傾動しない状態時にはサムターン軸をサムターン軸嵌挿孔の中心位置に保持するための中心位置保持装置が設けてある請求項１に記載の扉錠。
【請求項３】
前記サムターン軸は、第１部材と第２部材の２部材で分割して構成するとともに　、両部材はジョイント部で連結してある請求項１または２に記載の扉錠。
【請求項４】
外筒と、この外筒に嵌挿したサムターン軸とを少なくと備えた扉錠用のサムターン装置において、
前記サムターン装置の外筒とサムターン軸の一方又は両方には、サムターン軸が傾動しない状態時にはサムターン軸は解錠方向に回動可能であり、サムターン軸が傾動した状態時には、サムターン軸の解錠方向への回動を阻止する回動阻止装置を設けたことを特徴とする扉錠用のサムターン装置。
【請求項５】
前記サムターン装置の外筒とサムターン軸の一方又は両方には、サムターン軸が傾動しない状態時にはサムターン軸をサムターン軸嵌挿孔の中心位置に保持するための中心位置保持装置が設けてある請求項４に記載の扉錠用のサムターン装置。
【請求項６】
前記サムターン軸は、第１部材と第２部材の２部材で分割して構成するとともに、両部材はジョイント部で連結してある請求項４または５に記載の扉錠用のサムターン装置。
【発明の詳細な説明】
【０００１】
【発明の属する技術分野】
本発明は、不正な解錠を防止できる扉錠とその扉錠用のサムターン装置に関する。
【０００２】
【従来の技術】
最近、この種の扉錠においては、錠の不正解錠行為の１つとして、扉錠を取り付けた扉と枠との隙間（いわゆるチリ）や、扉に穴をあけてその穴に針金や紐等の不正解錠用の道具を挿入し、この不正解錠用の道具で室内側に取り付けてあるサムターン装置のサムターン軸を解錠方向に回動して、施錠状態の錠杆を後退して解錠するという、不正解錠行為が知られている。
【０００３】
しかしながら、現在のところ、上記のような不正解錠行為に対して、本願出願人が知るところでは、適切に対応した技術は存在しない。
【０００４】
【発明が解決しようとする課題】
本発明は、上記従来の問題を解決しようとするものであり、簡単な構成により上記針金や紐等の不正解錠用の道具によっても、サムターン装置のサムターン軸が解錠方向に回動できないようにして、不正解錠できない扉錠とそのサムターン装置を提供することを目的とする。
【０００５】
【課題を解決するための手段】
上記目的を達成するため、本発明の扉錠は、外筒と該外筒のサムターン軸嵌挿孔に嵌挿されたサムターン軸とを備えたサムターン装置と、前記サムターン装置の操作により作動される錠杆とを少なくとも備えた扉錠において、前記サムターン装置の外筒とサムターン軸の一方又は両方には、サムターン軸が傾斜しない状態時にはサムターン軸は解錠方向に回動可能であり、サムターン軸が傾斜した状態時には、サムターン軸の解錠方向への回動を阻止する回動阻止装置を設けたことを特徴とする（請求項１参照）。
【０００６】
ここで、サムターン軸が傾動しない状態時とは、針金や紐等の不正解錠用の道具によらない正常な解錠操作（例えば人間の手でサムターンを回動操作）によってサムターン軸が回動される場合、サムターン軸には偶力、即ち左右均等な一対の力が作用するのでサムターン軸は傾動することがない状態であって、正常な操作状態の場合を意味する。一方、サムターン軸が傾動した状態時とは、針金や紐等の不正解錠用の道具によって回動操作しようとした時は、サムターン軸には一方向の力しか作用しないのでサムターン軸は傾動する状態であって、不正な操作状態の場合を意味する。
【０００７】
また、回動阻止装置とは、後述する実施形態で明らかになるが、サムターン装置の外筒とサムターン軸の一方又は両方に設けた歯車状の歯や、ゴム製Ｏリングなどをいう。要するに、外筒とサムターン軸の接触面に該サムターン軸が回動できない歯車またはその他の係止機構や摩擦係数の大きな素材などを採用すればよい。
この場合において、サムターン軸が傾動しない状態時には前記回動阻止装置が作動しないように、外筒のサムターン軸嵌挿孔に対するサムターン軸の中心位置を保持するための中心位置保持装置を、前記回動阻止装置とは異なる個所のサムターン軸と外筒の一方又は両方に設けることができる（請求項２参照）。この中心位置保持装置は必須のものではないが、例えば図６に示す如くバネで付勢したボールや、図１１に示す如くバネで付勢したピン等が挙げられる。
【０００８】
サムターン装置のサムターン軸は、略棒状体のもの１本で構成（図１、図８参照）してもよいが、第１部材と第２部材の２部材で分割して構成して、両部材をジョイント部で連結してなるもの（請求項３参照、図１５、図１７参照）でもよく、適宜設計変更できる。
【０００９】
本発明の扉錠用のサムターン装置は、外筒と、この外筒に嵌挿したサムターン軸とを少なくと備えた扉錠用のサムターン装置において、前記サムターン装置の外筒とサムターン軸の一方又は両方には、サムターン軸が傾動しない状態時にはサムターン軸は解錠方向に回動可能であり、サムターン軸が傾動した状態時には、サムターン軸の解錠方向への回動を阻止する回動阻止装置を設けたことを特徴とする（請求項４参照）。このサムターン装置の場合も、前述したような中心位置保持装置をサムターン軸と外筒の一方又は両方に設ける（請求項５参照）方がよい。
また、このサムターン軸も、前述したように１本でもよいし、２部材で分割して構成してもよく（請求項６参照）、適宜設計変更できる。
【００１０】
【発明の実施の形態１】
本発明の実施の形態の第１例を図１〜図１０に基づいて以下に説明する。
１は扉イに取り付けた扉錠であって、この扉錠１は、錠杆３と該錠杆３を出没するためのハブ４やクリックモーション用バネ５等の出没操作機構とを内装した錠ケース２と、室内側に設けたサムターン装置１０と、室外側にサムターン装置１０と同軸的に設けたシリンダー５０などからなっている。
【００１１】
なお、図５で、６はハブ取付部材、７はフロント裏板、８はフロント板、９ａは錠ケース取付ねじ、９ｂはフロント板取付ねじである。錠ケース２の側壁２ａ、２ａには案内孔２ｂ、２ｂが穿設されており、この案内孔２ｂ、２ｂ間に錠杆３の後部に固定したピン３ａが摺動可能に嵌挿されている。図５で、３ｂは錠杆３の後部に形成した被係合部であり、この被係合部３ｂにハブ４の係合部４ａを係合して、錠杆３が前進又は後退作動される。
【００１２】
サムターン装置１０は、サムターン軸挿入孔１２を有する外筒１１と、サムターン軸嵌挿孔１２に回動自在に嵌挿され、前部に摘み１５を有するサムターン軸１４と、外筒１１の前部外周および扉イに設けた取付孔ロを被覆したカラー１６とからなっている。
【００１３】
前記外筒１１は、サムターン軸嵌挿孔１２を有する筒状の外筒主体１１Ａと、この外筒主体１１Ａの前部を被蓋し、前記サムターン軸嵌挿孔１２の一部を形成するリング体１１　Ｂとで構成してある。外筒主体１１Ａとリング体１１Ｂとはねじ１３で固定し、その露出　部の外周はカラー１６で被覆してある。
【００１４】
サムターン軸１４は、その後部１４ａをハブ４のハブ孔４ｂに回動方向に対して遊びが無い状態で係合している。従って、摘み１５を人間の手で把持して解錠方向に回動すると、前記サムターン軸１４の後部１４ａがハブ４を介して錠杆３を後退させ解錠状態とする。逆に、摘み１５を把持して施錠方向に回動すると、前記サムターン軸１４の後部１４ａがハブ４を介して錠杆３を前進させ施錠状態とする。
【００１５】
前記サムターン装置１０における外筒１１（本実施形態ではリング体１１Ｂ）のサムターン軸嵌挿孔１２の内周面１２ａとサムターン軸１４の外周面１４ｂの一方又は両方には、サムターン軸１４が傾動しない正常な操作時において前記サムターン軸１４は摘み１５を把持して解錠方向に回動可能であり、針金や紐あるいはその他の工具等の不正解錠用の道具（図示せず）によりサムターン軸１４が傾動した状態時（以下単に不正操作時ともいう。）において、サムターン軸１４の解錠方向への回動を阻止する回動阻止装置２０を設けている（図１、図７、図８、図１０参照）。
【００１６】
すなわち、サムターン軸１４の外周にはその周方向に係止部である歯車状の歯２７が複数形成してあると共に、外筒１１のリング体１１Ｂのサムターン軸嵌挿孔１２の内周面１２ａには、前記歯２７が歯合する係合凹部２２が複数個形成してある。
【００１７】
また、前記リング体１１Ｂの係合凹部２２が形成してある内周面１２ａ以外の部分は、図１及び図６に示すように平滑面１２ｎとしてあり、サムターン軸１４を外筒１１内に図１に示すように、嵌挿した状態において、リング体１１Ｂの内周面１２ａとサムターン軸１４の外周面１４ｂの間には、サムターン軸が傾動しない正常な操作状態時に全周に遊びｘが設けてあり、リング体１１Ｂと対向するサムターン軸１４の外周面１４ｂには、前部に図６に示すように、周方向に複数の凹部２４・・・２４を形成し、各凹部２４にはバネ２５に弾支されたボール２６が嵌挿されている。そして、各ボール２６は付勢力の同じバネ２５を用いることで、サムターン軸１４つまり各ボール２６をリング体１１Ｂの内周面１２ａの中心位置に保持させ、各ボール２６をリング体１１Ｂの内周面１２ａに回動可能に摺接させている。つまり、サムターン軸１４の外周面１４ｂに形成した凹部２４や該凹部２４に嵌挿したバネ２５やボール２６は、中心位置保持装置２３を構成する。従って、サムターン軸が傾動しない正常な操作状態時には、前記サムターン軸１４は摘み１５を把持して解錠方向に支障なく回動できるため、錠杆が後退されて解錠できる。
【００１８】
不正操作時、つまり不法に侵入しようとする者が針金や紐等の不正解錠用の道具を利用して室内側のサムターン装置のサムターン軸１４の摘み１５に引っ掛けて、サムターン軸１４を解錠方向に回動しようとする場合、例えば摘み１５に矢印Ｐ方向の力が作用した場合には、手による操作とは異なって、摘み１５には一方向の力しか作用しないので、サムターン軸１４の動きは、図８ないし図１０に示す状態となる。すなわち、中心位置保持装置２３は図９に示すように、サムターン軸１４の外周面１４ｂの上面はリング体１１Ｂのサムターン軸嵌挿孔１２の内周面１２ａの上面に押圧されるとともに、最上位のボール２６はバネ２５の付勢力に抗して前記内周面１２ａ上面に強く圧着され、左右のボール２６、２６はバネ２５の付勢力により図９で左又は右方向へ突出して平滑面１２ｎに接触する。また、図１０に示される如く、サムターン軸１４の上面側の歯２７・・・２７はリング体１１Ｂのサムターン軸嵌挿孔１２の内周面１２ａに形成した係合凹部２２・・・２２に係合され、サムターン軸１４の回動は阻止される。このようにして、回動阻止装置２０（２１、２２、２７）により、不正解錠用の道具による不正解錠を防止することができる。
【００１９】
次に、図１及び図７に示すように、前述した歯車状の歯２１・・・２１及び係合凹部２２・・・２２と、前記係合凹部２２・・・２２に係合できるようにサムターン軸１４に歯車状に形成した歯２７・・・２７とからなる回動阻止装置２０について、以下に説明する。
【００２０】
この回動阻止装置２０は、サムターン軸１４を外筒１１内に図１に示すように、嵌挿した状態において、サムターン軸が傾動しない正常な操作状態時には、外筒１１に形成した　歯車状の歯２１・・・２１と、サムターン軸１４の外周に形成した歯車状の歯２７・・・２７とは、前記中心位置保持装置（２４、２５、２６）の作用により、図１及び図７に示すように、噛合せず歯先同士は離間しているので、サムターン軸１４は摘み１５を把持して解錠方向に支障なく回動できるため、錠杆が後退されて解錠できる。
【００２１】
不正解錠用の道具による不正操作時には、前述したように、サムターン軸１４は図８に示すように傾動し、中心位置保持装置２３は図８及び図９に示すようにサムターン軸１４の外周の上面がリング体１１Ｂのサムターン軸嵌挿孔１２の内周面１２ａの上面に押圧されるとともに、最上位のボール２６はバネ２５の付勢力に抗して前記内周面１２ａに圧着され、回動阻止装置２０は図８及び図１０に示すようにサムターン軸１４の上面側の歯２７・・・２７がリング体１１Ｂのサムターン軸嵌挿孔１２の内周面１２ａに形成した係合凹部２２・・・２２に係合されてサムターン軸１４の回動が阻止される。
【００２２】
なお、図１で１４ｃはリング体１１Ｂの前面に当接して位置決めを図るためにサムターン軸１４に形成したフランジ、１７はサムターン軸１４のキー溝に埋設したリテーナーである。
【００２３】
シリンダー５０は、扉イに貫通した取付孔ロに前記サムターン装置１０と同軸的に取り付けてあり、公知の如く、キー孔５２を有する内筒５１と、内筒５１を回転可能に嵌装した外筒５３と、外筒５３を被覆するカラー５４とを備えている。また、内筒５１と外筒５３とには、複数の下ピン孔５５又は上ピン孔５６が両者が連通するように形成され、下ピン孔５５に下ピン５７が上ピン孔５６に上ピン５８がそれぞれ挿入され、キーをキー孔５２に差し込んでいない状態、又はキーが適合していない状態のときには、ピンバネ５９の付勢力によって上下両ピンの境界線は、内筒５１と外筒５３とのシャーラインと不一致であるため、内筒５１を動かすことができない。キー孔５２に適合するキーＫを挿入した場合には、上下両ピンの境界線とシャーラインとが一致するため内筒５１を回動することができ、錠杆を出没して施解錠できるようになっている。
なお、図１、図８で、１２ｍはサムターン軸１４の後部を嵌挿する後部挿通孔、６０は　ハブ４を操作するためのシリンダー５０の操作杆、６１、６２はカラーバネである。
【００２４】
【発明の実施の形態２】
図１１と図１２は、本発明の実施の形態の第２例を示すものであり、この場合の扉錠の錠ケースやサムターン装置１０（回動阻止装置２０を除く）やシリンダーの構成は、実施の形態１の場合と同様に形成してあるので、図１〜図５や図８に相当する図は省略している。よって、詳しくは上記実施の形態１の説明や図面を参照するとよい。
なお、図１１は実施形態１の図６に、図１２は図７に対応するものである。
【００２５】
実施形態の第２例の場合、図１１に示す中心位置保持装置２３は、サムターン装置１０における外筒１１のリング体１１Ｂに、サムターン軸嵌挿孔１２から外周方向に向けて複数のピン孔３０を放射状に穿設し、各ピン孔３０には、一端をサムターン軸１４の外周面１４ｂに摺接するピン３１と、該ピン３１を前記サムターン軸１４の外周面１４ｂ方向へ付勢するバネ３２と、該バネ３２を支持する支持部材３３とを順次に嵌装している。各ピン孔３０に嵌装したピン３１及びバネ３２はそれぞれ同一のものを使用しているので、各ピン３１がサムターン軸１４の外周面１４ｂに摺接する力も同一である。そのため、サムターン軸が傾動しない正常な操作状態時には、サムターン軸１４はサムターン軸嵌挿孔１２の中心位置に全周に遊びｘをもって保持され解錠方向に回動可能である。ピン孔３０、ピン３１、バネ３２及び支持部材３３は中心位置保持装置２３を構成する。
【００２６】
図１２に示す回動阻止装置２０は、図７の変形例である。すなわち、外筒１１のリング体１１Ｂのサムターン軸嵌挿孔１２の内周面１２ａに形成した歯車状の歯２１・・・２１と、これら歯同士間の係合凹部２２・・・２２と、サムターン軸１４の外周面１４ｂに形成した歯車状の歯２７・・・２７とは、いずれも図７の場合より小さくかつ多く形成したものである。
この場合の作用は図７の場合と同様である。
【００２７】
サムターン軸が傾動しない正常な操作状態時には、回動阻止装置２０（２１、２２、２７）は図１２に示す状態であり、中心位置保持装置２３（３０、３１、３２、３３）は図１１に示す状態であるため、摘み１５を把持して解錠方向に支障なく回動して解錠できる。
【００２８】
しかし、不正解錠用の道具による不正操作時には、外力Ｐによりサムターン軸１４の前部は図８に示すように上動し傾動状態となるため、回動阻止装置２０は、図１２の状態から図１０に示すように、サムターン軸１４の上面側の歯２７・・・２７はリング体１１Ｂのサムターン軸嵌挿孔１２の内周面１２ａに形成した係合凹部２２・・・２２に係合され、図１０に示す前記第１実施形態の場合と同様に、サムターン軸１４の回動は阻止される。
このとき、中心位置保持装置２３は、図９に示す前記第１実施形態の場合と同様にバネ３２の付勢力に抗して上部２本のピン３１、３１をピン孔３０、３０内に没入し、サムターン軸１４の上部は図９に示すようにリング体１１Ｂの内周面１２ａに圧着される。
【００２９】
【発明の実施の形態３】
図１３は、本発明の実施形態の第３例を示す。この実施形態の場合も、前記図１１及び図１２の場合と同様に、扉錠の錠ケースやサムターン装置１０（回動阻止装置２０を除く）やシリンダーの構成は、実施の形態１の場合と同様に形成してあるので、図１〜図５や図８に相当する図は省略している。詳しくは、実施の形態１の説明や図面を参照するとよい。
【００３０】
この図１３に示す回動阻止装置２０は、外筒１１のリング体１１Ｂのサムターン軸嵌挿孔１２の内周面１２ａ、又はサムターン軸１４の外周面１４ｂの一方または両方に、摩擦抵抗の大きい材質、例えばゴム材や、摩擦抵抗の大きい化学物質を含有する材質などからなるＯリング等の回動阻止体３４を設けたものである。
【００３１】
図１３では、回動阻止体３４をリング体１１Ｂの内周面１２ａとサムターン軸１４の外周面１４ｂの両方に設けているが、一方側だけに設けることもできる。また、回動阻止体３４は、Ｏリングに限らず、摩擦抵抗の大きい化学物質等の塗布剤を前記内周面１２ａ又は外周面１４ｂに塗着したものでもよいし、或いはリング体１１Ｂ自体又はサムターン軸１４自体を摩擦抵抗の大きい材質で構成したものでもよい。
【００３２】
この回動阻止体３４を有する図１３の回動阻止装置２０のものによれば、サムターン軸１４は、外筒１１（リング体１１Ｂ）のサムターン軸嵌挿孔１２に遊びをもって嵌挿されているので、サムターン軸が傾動しない正常な操作状態時には、サムターン軸１４は解錠方向に回動できる。
【００３３】
しかし、不正解錠用の道具による不正操作時（つまりサムターン軸が傾動した操作状態時）には、サムターン軸１４の前部は図８に示すように上動し傾動されるため、サムターン軸１４の回動阻止体３４の上部が外筒１１（リング体１１Ｂ）のサムターン軸嵌挿孔１２の内周面１２ａに強く圧着される結果、その回動阻止体３４の摩擦抵抗によりサムターン軸１４を解錠方向に回動することができない。また、サムターン軸１４を左右又は下方向に回動したとしても、上記と同じ理由でサムターン軸１４を解錠方向に回動することができない。
【００３４】
【発明の実施の形態４】
図１４は、本発明の実施形態の第４例を示す。この実施形態のものは、前記実施形態１における回動阻止装置２０の形状を変更したものであって、扉錠の錠ケースや、回動阻止装置２０を除くサムターン装置１０や、シリンダー５０の構成は、実施の形態１の場合と同様に形成しているので、図１〜図５や図８に相当する図は省略している。詳しくは実施の形態１の説明や図を参照するとよい。
【００３５】
この図１４に示す回動阻止装置２０は、図７に示す回動阻止装置２０と比較すれば判る　ように、サムターン軸１４をサムターン装置１０の外筒１１のサムターン軸嵌挿孔１２に　嵌挿した状態において、該サムターン軸１４の外周面１４ｂの周方向には外筒１１のリン　グ体１１Ｂ対応位置に、図７に示す如きのこ歯状の多数の歯ではなく、３〜５個程度（図　１４では４個）の突起２８を形成してある。一方、前記リング体１１Ｂに形成したサムタ　ーン軸嵌挿孔１２の内周面１２ａの周方向には、サムターン軸１４の突起２８を係合でき　る係合凹部２２が上記突起２８と対向して形成してある。この場合の作用は、実施形態１　の場合と同様であるので、説明を省略する。なお、前記複数の係合凹部２２は、リング体１１Ｂのサムターン軸嵌挿孔１２の壁面に、係合凹部２２を複数形成したリング（図示せず）を嵌装する構成でもよい。
【００３６】
【発明の実施の形態５】
図１５〜図１８は、本発明の実施形態の第５例を示す。この実施形態の扉錠は、サムターン軸１４が第１部材１４０と第２部材１４１の２部材で分割して構成してあるとともに、両部材１４０，１４１はジョイント部１４２で連結してある点に特徴を有する。その他の錠ケースやシリンダー等の構成は、実施の形態１の場合と同様に形成しているので、詳しくは実施の形態１の説明や図面を参照するとよい。
なお、この実施形態の場合も、サムターン装置１０の外筒１１とサムターン軸１４の一方又は両方には、サムターン軸　１４が傾動しない状態時にはサムターン軸１４は解錠方向に回動可能であり、サムターン軸１４が傾動した状態時には、サムターン軸１４の解錠方向への回動を阻止する回動阻止装置２０を設けてある。
【００３７】
この場合のサムターン軸１４は、一端側に摘み１５を有する第１部材１４０と、この第１部材１４０の他端側をジョイント部１４２で連結する第２部材１４１との２部材で構成してある。
【００３８】
前記第１部材１４０は、図１で示したサムターン軸１４の前半部を縦方向に切断したものと同様としたものであって、その一端側に摘み１５を、中程にフランジ１４Ｃを形成し、このフランジ１４Ｃから他端側に向けて、バネ２５及びボール２６を収容する凹部２４と、前記回動装置２０である歯２７と、抜け止め用のリテーナー１７とを設けてある。そして、第１部材１４０の他端側の端部には図１６に示すようにほぞ１４０ａを突設してある。
【００３９】
一方、第２部材１４１は、全体の長さを短くするとともに、円柱（角柱でもよい）状の前半部を大径とし後半部を小径とし、その小径部（後半部）をサムターン軸嵌挿孔１２の後部挿通孔１２ｍに嵌挿するようにしている。また、第２部材１４１の一端側には図１６に示すようにすり割り状のほぞ孔１４１ａが形成されている。
このほぞ孔１４１ａとほぞ１４０ａとはジョイント部１４２を構成する。
【００４０】
従って、第１部材１４０と第２部材１４１とを連結する場合には、第２部材１４１のほぞ孔１４１ａに第１部材１４０のほぞ１４０ａを嵌合するとよい。
【００４１】
この両部材１４０、１４１をサムターン装置１０に組み付ける場合の一例を図１５に沿って以下に簡単に説明すると、先ず、第１部材１４０に形成した凹部２４にバネ２５及びボール２６を収容してから、リング体１１Ｂをかぶせ、第１部材１４０とリング体１１Ｂとを結合する。そして、第１部材１４０のほぞ１４０ａを第２部材１４１のほぞ孔１４１ａに嵌合して両部材を結合する。次に、前記結合された両部材１４０，１４１のうち第２部材１４１の他端部を外筒主体１１Ａの後部挿通孔１２ｍに嵌挿し、前記外筒主体１１Ａとリング体１１Ｂとをねじ１３で固定する。そして、最後にカラー１６をバネ６１を介して外筒１１に装着する。
【００４２】
この実施形態では、サムターン軸１４の第２部材１４１の長手方向の長さを第１実施例　のものに比べて短かくすることができ、第１、第２の部材１４０、１４１の全体長さを短くしてあるため、それに伴って、外筒主体１１Ａやカラー１６などの長手方向の長さも短くなり、外筒１１及びカラー１６が扉イの表面から突出する突出長さＬが短くなる。そのため、サムターン装置１０の小形化が図られるとともに、扉を開放したときに、サムターン装置１０が枠に当たるのが解消できるし、このサムターン装置１０にサムターン回し防止用のカバーを取り付ける際にも、該カバーの突出を短くできる利点がある。
【００４３】
この実施形態のサムターン軸１４、回動阻止装置２０、中心位置保持装置２３などの　作用は、原理的には前述した実施形態１の場合と略同様であるので、実施形態１の説明を参照するとよい。
【００４４】
図１５及び図１６は、サムターン軸が傾動しない正常な操作状態を示しており、この　場合、サムターン軸１４（１４０、１４１）は、中心位置保持装置２３により、外筒１１のサムターン軸嵌挿孔１２の中心線上で回動可能である。このとき、第１部材１４０のほぞ１４０ａは第２部材１４１のほぞ孔１４１ａに対して、図１６に示す如く偏心することなく中心線上に収容された状態である。従って、このサムターン軸１４が傾動しない正常な操作状態時には、前記サムターン軸１４は摘み１５を把持して解錠方向へ支障なく回動できるため、錠杆が後退されて解錠できる。
【００４５】
上記図１５及び図１６の状態において、不法侵入者等が不正解錠用の道具により不正　操作した場合には、サムターン軸１４は図１７に示すように外力Ｐにより上方へ摺動し、中心位置保持装置２３は図１７（図９参照）に示すようにサムターン軸１４の外周の上面がリング体１１Ｂのサムターン軸嵌挿孔１２の内周面１２ａの上面に押圧されるとともに、最上位のボール２６　はバネ２５の付勢力に抗して前記内周面１２ａに圧着される一　方、回動阻止装置２０は図１７（図１０参照）に示すように、サムターン軸１４の上面側の歯２７・・・２７がリング体１１Ｂのサムターン軸嵌挿孔１２の内周面１２ａに形成した係合凹部２２・・・２２に係合されて、サムターン軸１４の回動が阻止され、錠杆３の後退が阻止されて不正解錠が防止される。
【００４６】
本発明に係る扉錠用のサムターン装置について、第１実施形態の図１〜図１０に基づいて説明すると、外筒１１と、この外筒１１に嵌挿したサムターン軸１４とを少なくと備えた扉錠用のサムターン装置１０において、前記サムターン装置１０の外筒１１とサムターン軸１４の一方又は両方には、サムターン軸が傾動しない状態時にはサムターン軸１４は解錠方向に回動可能であり、不正解錠用の道具によりサムターン軸１４が傾動した時には、サムターン軸１４の解錠方向への回動を阻止する回動阻止装置２０を設けたことを特徴とする扉錠用のサムターン装置としても採用できる。
また、この扉錠のサムターン装置１０は、外筒１１とサムターン軸１４の一方又は両方には、サムターン軸が傾動しない状態時時にはサムターン軸１４をサムターン軸嵌挿孔１２の中心位置に保持するための中心位置保持装置２３を設けることもできる。
【００４７】
この扉錠用のサムターン装置は、図１５〜図１８に示した扉錠のうちサムターン装置１　０のみを実施したものでもよい。つまり、この場合のサムターン軸１４は、第１部材１４　０と第２部材１４１で分割して構成するとともに、両部材１４０，１４１はジョイント部　１４２で連結する。
【００４８】
このサムターン装置のみの発明の場合において、回動阻止装置２０としては、図１や図６〜図７、図１５及び図１７で示したものに限らず、図１１〜図１３に示したもの、その他の構造のものを採用することができる。
また、このサムターン装置のみの発明の作用例は、前述した実施の形態の説明や図面を参照するとよい。
【００４９】
【変形例等】
実施の形態１〜５においては、扉錠としてサムターン装置１０とシリンダー５０とを備えたものについて説明したが、本発明は、シリンダー５０は設けずにサムターン装置１０のみ備えた扉錠にも適用することができる。
【００５０】
回動阻止装置２０と中心位置保持装置２３の組み合わせは、図６、図７、図１１〜１３のいずれかを適宜組み合わせることができる。
回動阻止装置２０としては、図示の構造のものに限定されるものではなく、その他種々設計変更できる。例えば、図７で言えば、サムターン軸１４の外周面にのこ歯状の多数の　歯２７…２７を形成しているが、外周面上に３〜５個程度の突起状の歯でもよい。中心位置保持装置２３は、本発明では必須のものではなく、これがなくても、サムターン軸１４が傾動しない状態時には解錠方向に回動できるものであればよい。
【００５１】
また、図１３で示した回動阻止体３４は、外筒１１とサムターン軸１４のいずれか一方に設けたものも本発明に含むことは勿論である。
【００５２】
サムターン軸１４は、各実施形態では断面が円形状のものを用いているが、断面が多角形状や楕円形状のものを採用することもできる。また、サムターン軸１４は、実施形態１〜４で示すように１本のもの、実施形態５で示すように２本に分割されたものに限定され　るものではなく、実施形態１〜４のものを２本に分割するとか、又は各実施形態のものを３本以上に分離されたもの等でも実施できる。
【００５３】
実施形態５（図１５〜図１８）では、サムターン軸１４を構成する第１部材１４０と第２部材１４１のうち、第２部材１４１を長手方向に短く形成したが、第１部材１４０の方を短くしてもよいし、両部材１４０，１４１の両方を短くすることもできる。
【００５４】
また、実施形態５におけるジョイント部１４２は、図示のものに限定されるものではなく、第１部材１４０と第２部材１４１の軸端をスプラインとセレーション構造にするとか、かみ合いクラッチ構造にするとか、その他適宜の構造とすることもできる。
【００５５】
【発明の効果】
本発明の請求項１の扉錠によれば、外筒と該外筒のサムターン軸嵌挿孔に嵌挿されたサムターン軸とを備えたサムターン装置と、サムターン装置の操作により作動される錠杆とを少なくとも備えた扉錠において、前記サムターン装置の外筒とサムターン軸の一方又は両方には　サムターン軸　が傾動しない状態時にはサムターン軸は解錠方向に回動可能であり、サムターン軸が傾動した状態ない時には、サムターン軸の解錠方向への回動を阻止する回動阻止装置を設けているから、針金や紐等の不正解錠用の道具よっても、サムターン装置のサムターン軸を解錠方向に回動することができないため、簡単な構成で、不正解錠されない防犯効果に強い扉錠が提供できる。
【００５６】
請求項２の扉錠によれば、外筒とサムターン軸の一方又は両方には、サムターン軸が傾動しない状態時にはサムターン軸をサムターン軸嵌挿孔の中心位置に保持するための中心位置保持装置を設けているから、不正解錠用の道具によらない正常の解錠操作時には、何ら支障なく解錠することができる。
【００５７】
請求項３の扉錠用のサムターン装置によれば、サムターン軸は、第１部材と第２部材の２部材で分割して構成するとともに　、両部材はジョイント部で連結してあるから、第１実施形態の如く傾動によらず、第１部材の摺動によって回動阻止装置を作動させることができるので、第１部材と第２部材の一方又は両方の長さを短くすることにより、外筒及びカラーの扉表面からの突出長さを短くできる。そのため、サムターン装置の小形化が図られるとともに、扉を開放したときに、サムターン装置が枠に当たるのが解消できるし、このサムターン装置にサムターン回し防止用のカバーを取り付ける際にも、該カバーの突出を短くできる利点がある。
【００５８】
請求項４の扉錠用のサムターン装置によれば、サムターン装置の外筒とサムターン軸の　一方又は両方には、サムターン軸が傾動しない状態時にはサムターン軸は解錠方向に回動　可能であり、サムターン軸が傾動した状態時には、サムターン軸の解錠方向への回動を阻止する回動阻止装置を設けているから、針金や紐等の不正解錠用の道具によっても、サムターン装置のサムターン軸を解錠方向に回動することができないため、簡単な構成で、不正解錠されない防犯効果に強い扉錠用のサムターン装置が提供できる。
【００５９】
請求項５の扉錠用のサムターン装置によれば、サムターン装置の外筒とサムターン軸の一方又は両方には、サムターン軸が傾動しない状態時にはサムターン軸をサムターン軸嵌挿孔の中心位置に保持するための中心位置保持装置が設けているから、不正解錠用の道具によらない正常の解錠操作時には、何ら支障なく解錠することができる。
【００６０】
請求項６の扉錠用のサムターン装置によれば、サムターン軸は、第１部材と第２部材の２部材で分割して構成するとともに、両部材はジョイント部で連結してあるから、上記請求項３の場合と同様の利点を有する。
【図面の簡単な説明】
【図１】本発明の実施形態１におけるサムターン軸が傾動しない状態時の図２の縦断面図である。
【図２】本発明の実施形態１における側面図である。
【図３】本発明の実施形態１における室内側から見た背面図である。
【図４】本発明の実施形態１における平面図である。
【図５】本発明の実施形態１における錠ケースの縦断面図である。
【図６】本発明の実施形態１におけるサムターン軸が傾動しない状態時の図１のＡ−Ａ線断面図である。
【図７】本発明の実施形態１におけるサムターン軸が傾動しない状態時の図１のＢ−Ｂ線断面図である。
【図８】本発明の実施形態１におけるサムターン軸が傾動した状態時の縦断面図である。
【図９】本発明の実施形態１におけるサムターン軸が傾動した状態時の図８のＣ−Ｃ線断面図である。
【図１０】本発明の実施形態１におけるサムターン軸が傾動した状態時の図８のＤ−Ｄ線断面図である。
【図１１】本発明の実施形態２における回動阻止装置の図１のＡ−Ａ線に相当する断面図である。
【図１２】本発明の実施形態２における回動阻止装置の図１のＢ−Ｂ線に相当する断面図である。
【図１３】本発明の実施形態３における回動阻止装置の断面図である。
【図１４】本発明の実施形態４における回動阻止装置の断面図である。
【図１５】本発明の実施形態５におけるサムターン軸が傾動しない状態時の縦断面図である。
【図１６】図１５におけるジョイント部の縦断面図である。
【図１７】本発明の実施形態５におけるサムターン軸が傾動した状態時の縦断面図である。
【図１８】図１７におけるジョイント部の縦断面図である。
【符号の簡単な説明】
１　　　　扉錠
２　　　　錠ケース
３　　　　錠杆
４　　　　ハブ
１０　　　サムターン装置
１１　　　外筒
１１Ｂ　　リング体
１２　　　サムターン軸嵌挿孔
１２ａ　　内周面
１４　　　サムターン軸
１４ｂ　　外周面
１５　　　摘み
２０　　　回動阻止装置
２１　　　歯
２２　　　係合凹部
２３　　　中心位置保持装置
２４　　　凹部
２５　　　バネ
２６　　　ボール
２７　　　歯
２８　　　突起
３０　　　ピン孔
３１　　　ピン
３２　　　バネ
３３　　　支持部材
３４　　　回動阻止体
５０　　　シリンダー
５１　　　内筒
５２　　　キー孔
５３　　　外筒
１４０　　第１部材
１４０ａ　ほぞ
１４１　　第２部材
１４１ａ　ほぞ孔
１４２　　ジョイント部
Ｋ　　　　キー
Ｌ　　　　外筒及びカラーの突出長さ
【図１】
2004143916.tif 000003
【図２】
2004143916.tif 000004
【図３】
2004143916.tif 000005
【図４】
2004143916.tif 000006
【図５】
2004143916.tif 000007
【図６】
2004143916.tif 000008
【図７】
2004143916.tif 000009
【図８】
2004143916.tif 000010
【図９】
2004143916.tif 000011
【図１０】
2004143916.tif 000012
【図１１】
2004143916.tif 000013
【図１２】
2004143916.tif 000014
【図１３】
2004143916.tif 000015
【図１４】
2004143916.tif 000016
【図１５】
2004143916.tif 000017
【図１６】
2004143916.tif 000018
【図１７】
2004143916.tif 000019
【図１８】
2004143916.tif 000020